(57)【要約】【課題】切換え手段による入力手段の切換え回数を抑え、使い勝手の向上を図った加熱装置を提供することを目的とする。【解決手段】被加熱物１ａ、１ｂを載置するトッププレート２と、被加熱物１ａ、１ｂを加熱する複数の加熱手段３ａ、３ｂと、複数の加熱手段のいずれかを選定するための切換え手段４および選定された加熱手段に加熱調理を行うための条件を入力する入力手段５を有する操作部１０と、操作部１０への入力操作を検知する検知手段６と、検知手段６からの信号により加熱手段を制御する制御手段７と、電源投入時に最初にどの加熱手段を選定しておくかを記憶する記憶手段８とを備えている。これによって、記憶手段８の記憶に基づき、電源投入時に操作する可能性の高い加熱手段を選定するので、切換え手段４による入力手段５の切換え回数を抑えることができ、使い勝手の向上が図れるものである。【選択図】図１
2007329024.tif 000002
【特許請求の範囲】
【請求項１】
被加熱物を載置するトッププレートと、トッププレート上の被加熱物を加熱する複数の加熱手段と、複数の加熱手段のいずれかを選定するための切換え手段および選定された加熱手段に加熱調理を行うための条件を入力する入力手段を有する操作部と、操作部への入力操作を検知する検知手段と、検知手段からの信号により加熱手段を制御する制御手段と、電源投入時に最初にどの加熱手段を選定しておくかを記憶する記憶手段とを備えた加熱装置。
【請求項２】
記憶手段は、各加熱手段の使用回数を記憶し、電源投入時に使用回数が多い加熱手段を選定するようにした請求項１に記載の加熱装置。
【請求項３】
記憶手段は、各加熱手段の使用時間を記憶し、電源投入時に使用時間が長い加熱手段を選定するようにした請求項１に記載の加熱装置。
【請求項４】
記憶手段は、使用不可の加熱手段が発生した場合、電源投入時に使用不可の加熱手段を除いた加熱手段のうち優先順位が高い加熱手段を選定するようにした請求項１〜３のいずれか１項に記載の加熱装置。
【請求項５】
入力手段は、複数の加熱手段が動作中において、最後の加熱手段が加熱開始してから一定時間経過後に、加熱中の加熱手段のうち、加熱出力値が一番大きい加熱手段用に選定されるようにした請求項１〜４のいずれか１項に記載の加熱装置。
【請求項６】
入力手段は、複数の加熱手段が動作中において、最後の加熱手段が加熱開始してから一定時間経過後に、加熱中の加熱手段のうち、加熱開始時点からの熱量が一番大きい加熱手段用に選定されるようにした請求項１〜４のいずれか１項に記載の加熱装置。
【請求項７】
操作部は、特定のキーの入力があると全ての加熱手段を一斉停止するようにした請求項１〜６のいずれか１項に記載の加熱装置。
【請求項８】
入力手段は、加熱手段により不要なキーが存在する時、選定された加熱手段に不要なキーを非表示とする請求項１〜７のいずれか１項に記載の加熱装置。
【請求項９】
被加熱物を載置したことを検知する被加熱物有無検知手段を備え、入力手段は最後に被加熱物を載置または退避した加熱手段用に選定されるようにした請求項１〜８のいずれか１項に記載の加熱装置。
【発明の詳細な説明】
【技術分野】
【０００１】
本発明は、トッププレート上の被加熱物を加熱する複数の加熱手段を備えた加熱装置に関するものである。
【背景技術】
【０００２】
従来、この種の加熱装置として、複数の加熱手段のいずれかを選定するための切換え手段と、選定された加熱手段に加熱調理を行うための条件を入力する入力手段とを有する操作部を備えたものが知られている（例えば、特許文献１参照）。
【特許文献１】特開２００５−１０１００７号公報
【発明の開示】
【発明が解決しようとする課題】
【０００３】
しかしながら、前記従来の構成では、台所事情や使用者の好みにより複数ある加熱手段のうちよく使用する加熱手段が電源投入時の初期選定と異なる場合、毎回切換え手段にて選定しなければならないという課題を有していた。
【０００４】
本発明は、前記従来の課題を解決するもので、切換え手段による入力手段の切換え回数を抑え、使い勝手の向上を図った加熱装置を提供することを目的とする。
【課題を解決するための手段】
【０００５】
前記従来の課題を解決するために、本発明の加熱装置は、被加熱物を載置するトッププレートと、トッププレート上の被加熱物を加熱する複数の加熱手段と、複数の加熱手段のいずれかを選定するための切換え手段および選定された加熱手段に加熱調理を行うための条件を入力する入力手段を有する操作部と、操作部への入力操作を検知する検知手段と、検知手段からの信号により加熱手段を制御する制御手段と、電源投入時に最初にどの加熱手段を選定しておくかを記憶する記憶手段とを備えたものである。
【０００６】
これによって、記憶手段の記憶に基づき、電源投入時に操作する可能性の高い加熱手段を選定するので、切換え手段による入力手段の切換え回数を抑えることができ、使い勝手の向上が図れるものである。
【発明の効果】
【０００７】
本発明の加熱装置は、切換え手段による入力手段の切換え回数を抑え、使い勝手の向上が図れる。
【発明を実施するための最良の形態】
【０００８】
第１の発明は、被加熱物を載置するトッププレートと、トッププレート上の被加熱物を加熱する複数の加熱手段と、複数の加熱手段のいずれかを選定するための切換え手段および選定された加熱手段に加熱調理を行うための条件を入力する入力手段を有する操作部と、操作部への入力操作を検知する検知手段と、検知手段からの信号により加熱手段を制御する制御手段と、電源投入時に最初にどの加熱手段を選定しておくかを記憶する記憶手段とを備えた加熱装置とすることにより、記憶手段の記憶に基づき、電源投入時に操作する可能性の高い加熱手段を選定するので、切換え手段による入力手段の切換え回数を抑えることができ、使い勝手の向上が図れるものである。
【０００９】
第２の発明は、特に、第１の発明において、記憶手段は、各加熱手段の使用回数を記憶し、電源投入時に使用回数が多い加熱手段を選定するようにしたことにより、使用者がどの加熱手段の選定を優先させるか予め設定しておかなくても、電源投入後には使用回数が多い加熱手段を選定していることとなり、電源投入時における操作上の使い勝手を向上させることができる。
【００１０】
第３の発明は、特に、第１の発明において、記憶手段は、各加熱手段の使用時間を記憶し、電源投入時に使用時間が長い加熱手段を選定するようにしたことにより、使用者がどの加熱手段の選定を優先させるか予め設定しておかなくても、電源投入後には使用時間が長い加熱手段を選定していることとなり、電源投入時における操作上の使い勝手を向上させることができる。
【００１１】
第４の発明は、特に、第１〜第３のいずれか１つの発明において、記憶手段は、使用不可の加熱手段が発生した場合、電源投入時に使用不可の加熱手段を除いた加熱手段のうち優先順位が高い加熱手段を選定するようにしたことにより、故障などで使えない加熱手段が発生しても使える加熱手段の中から優先順位が高い加熱手段を順次選択していることとなり、電源投入時における操作上の使い勝手を向上させることができる。
【００１２】
第５の発明は、特に、第１〜第４のいずれか１つの発明において、入力手段は、複数の加熱手段が動作中において、最後の加熱手段が加熱開始してから一定時間経過後に、加熱中の加熱手段のうち、加熱出力値が一番大きい加熱手段用に選定されるようにしたことにより、高火力で加熱調理が終わりやすい、または火力調整を行う可能性の高い加熱手段を選定して、切換え手段で切換えることなしに、調理終了による停止や火力調整などの操作を行うこととなり、調理中における操作上の使い勝手を向上させることができる。
【００１３】
第６の発明は、特に、第１〜第４のいずれか１つの発明において、入力手段は、複数の加熱手段が動作中において、最後の加熱手段が加熱開始してから一定時間経過後に、加熱中の加熱手段のうち、加熱開始時点からの熱量が一番大きい加熱手段用に選定されるようにしたことにより、調理の進行が一番進んでいる可能性の高い加熱手段を選定して、切換え手段で切換えることなしに、調理終了による停止や火力調整などの操作を行うこととなり、調理中における操作上の使い勝手を向上させることができる。
【００１４】
第７の発明は、特に、第１〜第６のいずれか１つの発明において、操作部は、特定のキーの入力があると全ての加熱手段を一斉停止するようにしたことにより、緊急で加熱停止したい場合や全ての加熱を停止させたい場合に切換え手段で加熱手段を選定し加熱停止キーで加熱を停止させ、次の加熱手段の加熱停止を行うために切換え手段で加熱手段を選定し加熱停止キーで加熱を停止させるという行為が不要となり、一斉停止での手間を削減できるとともに安全性の向上を図ることができる。
【００１５】
第８の発明は、特に、第１〜第７のいずれか１つの発明において、入力手段は、加熱手段により不要なキーが存在する時、選定された加熱手段に不要なキーを非表示とすることにより、一方の入力手段には存在するキーで他方には存在しないということが視覚的に捕らえられることとなり、受け付けないキーなど迷うことがなくなり、操作性の向上を図ることができる。
【００１６】
第９の発明は、特に、第１〜第８のいずれか１つの発明において、被加熱物を載置したことを検知する被加熱物有無検知手段を備え、入力手段は最後に被加熱物を載置または退避した加熱手段用に選定されるようにしたことにより、トッププレート上に被加熱物を載置すれば、入力手段を、被加熱物を載置した側の加熱手段用に選定することとなり、また入力手段は被加熱物を退避しても退けた加熱手段用に選定され、退けた加熱手段用に切換えた入力手段で加熱停止を行うと、被加熱物を載置した加熱手段のうち使用頻度の高いまたは優先順位の高い加熱手段の方用に入力手段を切換えることとなり、使用時における操作上の使い勝手を向上させることができる。
【００１７】
以下、本発明の実施の形態について、図面を参照しながら説明する。なお、この実施の形態によって本発明が限定されるものではない。
【００１８】
（実施の形態１）
図１、図２は、本発明の実施の形態１における加熱装置として誘導加熱調理器を示すものである。
【００１９】
図１に示すように、本実施の形態１における加熱装置は、調理容器などの被加熱物１ａ、１ｂ・・・を載置するトッププレート２と、トッププレート２の下方より被加熱物１ａ、１ｂ・・・を加熱する誘導加熱コイルなどの複数の加熱手段３ａ、３ｂ・・・と、複数の加熱手段３ａ、３ｂ・・・のいずれかを選定するための切換え手段４および選定された加熱手段に加熱調理を行うための条件を入力する入力手段５を有する操作部１０と、操作部１０への入力操作を検知する検知手段６と、検知手段６からの信号により加熱手段を制御する制御手段７と、電源投入時に最初にどの加熱手段を選定しておくかを記憶する記憶手段８とを備えている。
【００２０】
前記操作部１０はトッププレート２の使用者の操作側表面上に設けられており、トッププレート２上面より操作ができるようになっている。また、加熱手段として２つの場合を図示しているが、これに限らず３つ以上であってもよいものである。
【００２１】
次に、図２に基づき、加熱装置についての動作、作用を説明する。
【００２２】
まず、電源ＳＷをオンし、電源を投入する（ステップＳ１）。制御手段７は、記憶手段８より各加熱手段３ａ、３ｂ・・・の使用回数を読み出し、使用回数の比較を行う（ステップＳ２）。各加熱手段のうち一番使用回数が多い加熱手段を使用者がよく使用する加熱手段と判断する（ステップＳ３）。例えば、加熱手段３ａが他の加熱手段３ｂ・・・よりも使用回数が多いのであれば、使用者がよく使用する加熱手段は加熱手段３ａだと判断する。ここで、故障などで使用できない加熱手段がないか各加熱手段３ａ、３ｂ・・・の状況を確認する（ステップＳ４）。使用できない加熱手段が存在した場合にはその加熱手段を除いた加熱手段のうちで使用回数が多い、すなわち優先順位が高い加熱手段を選定する。よって、加熱手段３ａが使用できない場合、次に使用回数が多い加熱手段が加熱手段３ｂであったならば、制御手段７は入力手段５を加熱手段３ｂ用に切換える（ステップＳ５）。加熱手段３ａが使用可能の場合、制御手段７は入力手段５を加熱手段３ａ用に切換える（ステップＳ６）。ここで、例えば、加熱手段３ｂの入力手段５には存在するキーであるが、加熱手段３ａの入力手段５には不要なキーが存在する場合、使用者が使用時に分かりにくいので不要なキーの背面のバックライトなどを消灯させるなどして非表示としそのキーが不要であることを示す（ステップＳ７）。
【００２３】
次に、使用者が加熱手段３ａの上方のトッププレート２上に被加熱物１ａを載せ、加熱手段３ａ用に切り換わった入力手段５にて加熱をするための条件を設定して加熱調理を開始する（ステップＳ８）。この時、加熱手段３ａの使用回数を＋１して、制御手段７は記憶手段８に記憶させる（ステップＳ９）。次に、加熱手段３ｂの上方のトッププレート２上に被加熱物１ｂを載せ、切換え手段４にて入力手段５を加熱手段３ｂ用に切換える（ステップＳ１０）。使用者が入力手段５にて加熱をするための条件を設定して加熱調理を開始する（ステップＳ１１）。この時、加熱手段３ｂの使用回数を＋１して、制御手段７は記憶手段８に記憶させる（ステップＳ１２）。最後の加熱手段が加熱開始してから、ある一定時間経過後に各加熱手段３ａ、３ｂ・・・で使用された熱量を測定し、加熱出力値が一番大きい加熱手段用に入力手段５を切換え選定する（ステップＳ１３）。なお、ステップＳ１３では加熱中の加熱手段のうち、加熱出力値が一番大きい加熱手段用に選定されるようにしたが、これに代えて、加熱中の加熱手段のうち、加熱開始時点からの熱量が一番大きい加熱手段用に選定されるようにしてもよい。但し、頻繁に入力手段５の切換えが行われると逆に煩わしくなるので、熱量が多少上回っている位であれば、入力手段５は現状の加熱手段用に選定されるものとする。
【００２４】
以上のように、本実施の形態においては、各加熱手段の使用回数を記憶手段８に記憶させ、その情報や加熱時の熱量を基に入力手段５をどの加熱手段用に選定するかを制御手段７が制御することにより、電源投入時や複数の加熱手段の動作時に操作する可能性の高い加熱手段を容易に選定するので、切換え手段４による入力手段５の切換え回数を抑えることができることとなり、使用時における使い勝手の向上を図ることができる。
【００２５】
なお、本実施の形態では、各加熱手段の使用回数を記憶手段８に記憶させるようにしたが、これに代えて各加熱手段の使用時間を記憶させるようにしてもよい。
【００２６】
また、操作部１０は、特定のキーの入力があると全ての加熱手段３ａ、３ｂ・・・を一斉停止するようにすれば、緊急で加熱停止したい場合や全ての加熱を停止させたい場合に切換え手段で加熱手段を選定し加熱停止キーで加熱を停止させ、次の加熱手段の加熱停止を行うために切換え手段で加熱手段を選定し加熱停止キーで加熱を停止させるという行為が不要となり、一斉停止での手間を削減できるとともに安全性の向上を図ることができる。
【００２７】
また、加熱手段の熱源は限定されるものではなく、複数の熱源を組み合わせて使用することもできるものである。
【００２８】
（実施の形態２）
図３、図４は、本発明の実施の形態２における加熱装置として誘導加熱調理器を示すものである。実施の形態１と同一要素については同一符号を付してその説明を省略する。
【００２９】
図３に示すように、本実施の形態２における加熱装置は、被加熱物１ａ、１ｂ・・・を載置したことを検知する被加熱物有無検知手段９ａ、９ｂ・・・を備え、入力手段５は最後に被加熱物を載置または退避した加熱手段用に選定されるようにしたものである。その他の構成は実施の形態１と同一である。
【００３０】
次に、図４に基づき、加熱装置についての動作、作用を説明する。
【００３１】
まず、電源ＳＷをオンし、電源を投入する（ステップＳ１０）。制御手段７は、記憶手段８より各加熱手段の使用回数を読み出し、使用回数の比較を行う（ステップＳ１１）。各加熱手段のうち一番使用回数が多い加熱手段を使用者がよく使用する加熱手段と判断する（ステップＳ１２）。例えば、加熱手段３ｂが加熱手段３ａ・・・の使用回数より多いのであれば、使用者がよく使用する加熱手段は加熱手段３ｂだと判断する。ここで、故障などで使用できない加熱手段がないか各加熱手段の状況を確認する（ステップＳ１３）。使用できない加熱手段が存在した場合には、その加熱手段を除いた加熱手段のうちで使用回数が多い加熱手段を選定する。よって、加熱手段３ｂが使用できない場合、次に使用回数が多い加熱手段が加熱手段３ａであったならば、制御手段７は入力手段５を加熱手段３ａ用に切換える（ステップＳ１４）。加熱手段３ｂが使用可能の場合、制御手段７は入力手段５を加熱手段３ｂ用に切換える（ステップＳ１５）。ここで、例えば、加熱手段３ａの入力手段５には存在するキーだけれども、加熱手段３ｂの入力手段５には不要なキーが存在する場合、使用者が使用時に分かりにくいので不要なキーの背面のバックライトなどを消灯させるなどして非表示としてそのキーが不要であることを示す（ステップＳ１６）。
【００３２】
次に、使用者が加熱手段３ａのトッププレート２上に被加熱物１ａを載せると、被加熱物有無検知手段９ａが被加熱物１ａを検知して検知したことを制御手段７に伝える。制御手段７はその情報を基に入力手段５を加熱手段３ａ用に切換える（ステップＳ１７）。入力手段５にて加熱をするための条件を設定して加熱調理を開始する（ステップＳ１８）。この時、加熱手段３ａの使用回数を＋１して、制御手段７は記憶手段８に記憶させる（ステップＳ１９）。次に、加熱手段３ｂのトッププレート２上に被加熱物１ｂを載せると、被加熱物有無検知手段９ｂが被加熱物１ｂを検知して検知したことを制御手段７に伝える。制御手段７はその情報を基に入力手段５を加熱手段３ｂ用に切換える（ステップＳ２０）。使用者が入力手段５にて加熱をするための条件を設定して加熱調理を開始する（ステップＳ２１）。この時、加熱手段３ｂの使用回数を＋１して、制御手段７は記憶手段８に記憶させる（ステップＳ２２）。
【００３３】
その後、ある一定時間毎に各加熱手段３ａ、３ｂ・・・で使用された熱量を測定し、加熱出力値が一番大きい加熱手段用に入力手段５を切換える（ステップＳ２３）。次に、使用者が被加熱物１ａをトッププレート２より退避する（ステップＳ２４）と、被加熱物１ａが退避されたことを被加熱物有無検知手段９ａが検知して制御手段７に伝える。制御手段７はその情報を基に入力手段５を加熱手段３ａ用に切換える（ステップＳ２５）。使用者はここで加熱停止させるために入力手段５を用いて加熱を停止する（ステップＳ２６）。加熱を停止し、ある時間経過した後、入力手段５を加熱手段３ｂ用に切換える（ステップＳ２７）。
【００３４】
以上のように、本実施の形態においては、各加熱手段の使用回数を記憶手段８に記憶させ、その情報や加熱時の熱量を基に入力手段５をどの加熱手段用に選定するかを制御手段７が制御することに加え、被加熱物有無検知手段９にて被加熱物を載置または退避したタイミングを検知し、被加熱物の移動が発生した加熱手段を選定することより、電源投入時や複数の加熱手段の動作時に操作する可能性の高い加熱手段を容易に選定するので、切換え手段４による入力手段５の切換え回数を抑えることができることとなり、使用時における使い勝手の向上をさらに図ることができる。
【産業上の利用可能性】
【００３５】
以上のように、本発明にかかる加熱装置は、切換え手段による入力手段の切換え回数を抑え、使い勝手の向上が図れるので、複数の加熱手段の入力手段として１つの入力手段を切換えて使用するような誘導加熱調理器やその他の各種の誘導加熱装置の用途にも適用できる。
【図面の簡単な説明】
【００３６】
【図１】本発明の実施の形態１における加熱装置のブロック図
【図２】同加熱装置の動作を示すフローチャート
【図３】本発明の実施の形態２における加熱装置のブロック図
【図４】同加熱装置の動作を示すフローチャート
【符号の説明】
【００３７】
１ａ、１ｂ  被加熱物
２  トッププレート
３ａ、３ｂ  加熱手段
４  切換え手段
５  入力手段
６  検知手段
７  制御手段
８  記憶手段
９ａ、９ｂ  被加熱物有無検知手段
【図１】
2007329024.tif 000003
【図２】
2007329024.tif 000004
【図３】
2007329024.tif 000005
【図４】
2007329024.tif 000006